(57)【特許請求の範囲】
【請求項１】
長手方向、幅方向及び厚さ方向を有し、液透過性層と、液不透過性層と、前記液透過性層と前記液不透過性層との間に位置する吸収層とを備える吸収性物品であって、
前記吸収層は、消臭剤を有し、前記吸収性物品の排泄口当接域を含む消臭剤配置領域を備え、
前記消臭剤は、前記消臭剤配置領域における前記排泄口当接域を通る第１の方向に沿う断面において、前記吸収性物品の使用時に鉛直方向において相対的に高い位置になる部分の坪量が、相対的に低い位置になる部分の坪量よりも多くなるように、前記消臭剤配置領域に配置されている、
吸収性物品。
【請求項２】
前記第１の方向は、前記幅方向である、
請求項１に記載の吸収性物品。
【請求項３】
前記吸収層は、前記排泄口当接域内に周辺部と比較して嵩高く形成された嵩高部を備え、
前記消臭剤配置領域において、前記鉛直方向に相対的に高い位置になる部分は、前記嵩高部である、
請求項１又は２に記載の吸収性物品。
【請求項４】
前記液不透過性層の前記吸収層と反対側の表面に、前記吸収性物品を着衣に固定するために所定の間隔で配置された複数の固定部を更に備え、
前記消臭剤配置領域において、前記鉛直方向に相対的に高い位置になる部分は、前記消臭剤配置領域における前記複数の固定部に対応する部分以外の部分である、
請求項１乃至３のいずれか一項に記載の吸収性物品。
【請求項５】
前記消臭剤配置領域における前記鉛直方向に相対的に高い位置になる部分の前記幅方向の両側には、前記長手方向に延びる圧搾部が形成されている、
請求項１乃至４のいずれか一項に記載の吸収性物品。
【請求項６】
前記吸収層は、
前記液透過性層側に配置された第１の吸収層と、
前記第１の吸収層と前記液不透過性層との間に配置され、前記消臭剤配置領域を含む第２の吸収層と、を備え、
前記第１の吸収層は、
吸収性ポリマーと、
前記吸収性ポリマーを、前記吸収性ポリマーの前記液透過性層側の面及び前記第２の吸収層側の面で狭持する液透過性シートと、を含み、
前記液透過性シートは、
前記吸収性ポリマーを狭持する狭持部分と、
前記狭持部分の前記幅方向の両外側に位置し、前記長手方向に沿って延設され、前記吸収性ポリマーを挟持しない非狭持部分と、を含み、
前記非狭持部分は、前記長手方向に沿って延びる折り畳み線に沿って折り畳まれており、
前記消臭剤配置領域における前記鉛直方向に相対的に高い位置になる部分は前記狭持部分に対応する部分である、
請求項１乃至５のいずれか一項に記載の吸収性物品。
【請求項７】
前記吸収層は、
前記消臭剤と吸収性材料を含む消臭剤含有吸収材層と、
前記消臭剤含有吸収材層を前記厚み方向の両側から狭持し包摂する上面シート及び下面シートと、
前記消臭剤含有吸収材層側の前記上面シート及び前記下面シートの少なくとも一方に形成された接着剤と、を更に備える、
請求項１乃至６のいずれか一項に記載の吸収性物品。
【請求項８】
前記消臭剤は、
前記接着剤により前記上面シート及び前記下面シートの少なくとも一方に保持された保持消臭剤と、
前記接着剤により前記上面シート及び前記下面シートに保持されずに、前記上面シートと前記下面シートとの間に移動可能に配置された非保持消臭剤と、を含む、
請求項７に記載の吸収性物品。
【発明の詳細な説明】
【技術分野】
【０００１】
本発明は、吸収性物品に関する。
【背景技術】
【０００２】
軽失禁パッド、生理用ナプキン、使い捨ておむつのような吸収性物品は、着用者から排泄された尿や経血などの排泄物を吸収し、保持するために用いられている。吸収性物品の吸収体に吸収される排泄物は、通常、不快な臭気を発するため、その臭気を抑制するための消臭機能を有する吸収性物品が検討されている。
【０００３】
消臭機能を有する吸収性物品としては、例えば特許文献１に消臭剤を含有する吸収性物品が開示されている。この吸収性物品は、表面シートと吸収コアとの間又は吸収コア内に消臭剤が含有されており、消臭剤の平均坪量が、溝が形成されていない部分よりも溝が形成された部分において小さい、という構成を有している。この吸収性物品では、圧搾等の影響のある領域を除いて、消臭剤を実質的に均一に配置している。
【先行技術文献】
【特許文献】
【０００４】
【特許文献１】特開２００１−３５３１７４号公報
【発明の概要】
【発明が解決しようとする課題】
【０００５】
ところで、吸収性物品では、その使用時に、着用時の変形や着用者の体勢により、鉛直方向において相対的に高い位置になる部分と、相対的に低い位置になる部分とが生じる。このとき、消臭剤は、必ずしも吸収性物品に厳密に固定されていないため、使用時での変形や体勢などに対応してその位置を移動し得る。その結果、相対的に高い位置に配置された消臭剤は、相対的に低い位置に移動してしまうおそれがある。その場合、消臭剤を吸収層に予め均一に配置していると、相対的に高い位置では、使用時に十分な量の消臭剤を確保できないおそれがある。
【０００６】
そこで、本発明の目的は、吸収性物品の変形や体勢の影響に拘らず、排泄物の排出される領域に適正な量の消臭剤を確保することが可能な吸収性物品を提供することにある。
【課題を解決するための手段】
【０００７】
本発明の吸収性物品は次のとおりである。
（１）長手方向、幅方向及び厚さ方向を有し、液透過性層と、液不透過性層と、前記液透過性層と前記液不透過性層との間に位置する吸収層とを備える吸収性物品であって、前記吸収層は、消臭剤を有し、前記吸収性物品の排泄口当接域を含む消臭剤配置領域を備え、前記消臭剤は、前記消臭剤配置領域における前記排泄口当接域を通る第１の方向に沿う断面において、前記吸収性物品の使用時に鉛直方向において相対的に高い位置になる部分の坪量が、相対的に低い位置になる部分の坪量よりも多くなるように、前記消臭剤配置領域に配置されている、吸収性物品。
【０００８】
そこで本吸収性物品は、上記構成を有することにより、吸収性物品の使用時の変形や着用者の体勢により鉛直方向において相対的に高い位置の部分と低い位置の部分とが生じ、相対的に高い位置の部分から低い位置の部分に消臭剤が移動しても、坪量の多い部分から少ない部分へ消臭剤が移動するだけなので、相対的に高い位置の部分での消臭剤の量を確保できる。ここで、鉛直方向において、排泄口当接域を通る断面における相対的に高い位置は、排泄物が排泄されたとき概ね最初に接触する（吸収する）箇所ということができる。したがって、吸収層において変形や体勢の影響に拘らず、排泄物の排出される領域に適正な量の消臭剤を確保することが可能となる。
【０００９】
（２）前記第１の方向は、前記幅方向である、上記（１）に記載の吸収性物品であってもよい。
吸収性物品は、消臭剤配置領域の排泄口当接域を通る、幅方向に沿う断面で見ると、使用時に着用者の両足の付け根に挟まれるなどにより、幅方向にて少なくとも一箇所で肌対向面側に凸の形状となるように変形される。例えば、鉛直方向にて、幅方向の中央部分が相対的に高く、その両側の部分が相対的に低くなるように変形される。そこで本吸収性物品は、幅方向に沿う排泄口当接域を通る断面において、相対的に高い位置になる部分が、相対的に低い位置になる部分よりも坪量が多くなるように、消臭剤が消臭剤配置領域に配置される。例えば、幅方向の中央部分の坪量が、その両側の部分の坪量よりも多くなるように消臭剤配置領域に消臭剤が配置される。この吸収性物品では、吸収性物品の使用時に、相対的に高い位置の部分、すなわち凸の形状の頂部から低い位置の部分、すなわち凸の形状の裾部に消臭剤が移動しても、坪量の多い部分から少ない部分へ消臭剤が移動するだけなので、相対的に高い位置の部分での消臭剤の量を確保できる。
【００１０】
（３）前記吸収層は、前記排泄口当接域内に周辺部と比較して嵩高く形成された嵩高部を備え、前記消臭剤配置領域において、前記鉛直方向に相対的に高い位置になる部分は、前記嵩高部である、上記（１）又は（２）に記載の吸収性物品であってもよい。
吸収性物品は、使用時に着用者の両足の付け根に挟まれるなどで上方（肌対向面側）に凸の形状となるよう変形され得るが、厚さが厚いほど変形され難く、厚さが薄いほど変形されやすい。よって厚さが薄い部分は変形されて鉛直下方に向き易く、厚さが厚い部分が鉛直方向に相対的に高い位置になる部分になる。そこで本吸収性物品は、排泄口当接域を通る第１方向に沿う断面において、吸収層の厚さが厚い嵩高部が、吸収層の厚さが薄い周辺領域よりも坪量が多くなるよう、消臭剤が消臭剤配置領域に配置される。この吸収性物品では、吸収性物品の使用時に、相対的に高い位置の部分、すなわち厚さが厚い嵩高部から低い位置の部分、すなわち厚さが薄い周辺領域に消臭剤が移動しても、坪量の高い部分から低い部分へ消臭剤が移動するだけなので、中央部分の消臭剤の量を確保できる。
【００１１】
（４）前記液不透過性層の前記吸収層と反対側の表面に、前記吸収性物品を着衣に固定するために所定の間隔で配置された複数の固定部を更に備え、前記消臭剤配置領域において、前記鉛直方向に相対的に高い位置になる部分は、前記消臭剤配置領域における前記複数の固定部に対応する部分以外の部分である、上記（１）乃至（３）のいずれか一項に記載の吸収性物品であってもよい。
複数の固定部の各々は下着などの着衣に接着又は粘着されるため、吸収性物品の固定部に対応する部分は着衣と重なることで高い剛性を有するようになる。ここで、吸収性物品は、使用時に両足の付け根に挟まれるなどで、幅方向において両外側から内側へ圧縮される。このとき、吸収性物品の圧縮される部分のうち、固定部に対応する部分は高い剛性を有するため、当該部分そのものは幅方向に圧縮されず、両者の間の部分が肌対向面側（上方側）に凸状に盛り上がる。すなわち、固定部に対応する部分以外の部分が凸状に盛り上がる。そこで本吸収性物品は、排泄口当接域を通る第１方向に沿う断面において、固定部に対応する部分以外の部分が、固定部に対応する部分よりも坪量が多くなるように、消臭剤が消臭剤配置領域に配置される。このように吸収性物品を構成にすることで、吸収性物品の使用時に、相対的に高い位置の部分、すなわち固定部に対応する部分以外の部分から低い位置の部分、すなわち固定部に対応する部分に消臭剤が移動しても、坪量の高い部分から低い部分へ消臭剤が移動するだけなので、中央部分での消臭剤の量を確保できる。
【００１２】
（５）前記消臭剤配置領域における前記鉛直方向に相対的に高い位置になる部分の前記幅方向の両側には、前記長手方向に延びる圧搾部が形成されている、上記（１）乃至（４）のいずれか一項に記載の吸収性物品であってもよい。
本吸収性物品では、鉛直方向に相対的に高い位置になる部分の幅方向の両側には圧搾部が形成されるので、高い位置になる部分の消臭剤が幅方向に拡がり過ぎることを防止できる。すなわち変形や体勢の影響により消臭剤が幅方向に広がり過ぎて、排泄物の排出される領域の消臭剤が不足する事態を防止できる。それにより吸収層において変形や体勢の影響に拘らず、排泄物の排出される領域に適正な量の消臭剤を確保できる。
【００１３】
（６）前記吸収層は、前記液透過性層側に配置された第１の吸収層と、前記第１の吸収層と前記液不透過性層との間に配置され、前記消臭剤配置領域を含む第２の吸収層と、を備え、前記第１の吸収層は、吸収性ポリマーと、前記吸収性ポリマーを、前記吸収性ポリマーの前記液透過性層側の面及び前記第２の吸収層側の面で狭持する液透過性シートと、を含み、前記液透過性シートは、前記吸収性ポリマーを狭持する狭持部分と、前記狭持部分の前記幅方向の両側に位置し、前記長手方向に沿って延設され、前記吸収性ポリマーを挟持しない非狭持部分と、を含み、前記非狭持部分は、前記長手方向に沿って延びる折り畳み線に沿って折り畳まれており、前記消臭剤配置領域における前記鉛直方向に相対的に高い位置になる部分は前記狭持部分に対応する部分である、上記（１）乃至（５）のいずれか一項に記載の吸収性物品であってもよい。
液透過性シートの端部は折り畳まれて積層されているが、液透過性シートの中央部分は積層されていない。そのため、液透過性シートの端部は中央部分と比較して高い剛性を有する。ここで、吸収性物品は、使用時に両足の付け根に挟まれるなどで、幅方向において両外側から内側へ圧縮される。このとき、吸収性物品の圧縮される部分のうち、液透過性シートの端部は高い剛性を有するため、当該部分そのものは幅方向に圧縮されず、両者の間の部分、すなわち液透過性シートの中央部分が肌対向面側（上方側）に盛り上がるように変形することで、圧縮力を逃がす。その結果、端部（非挟持部分）の間の中央部分（挟持部分）に、長手方向に延在する凸状の畝部が形成される。そこで本吸収性物品が、第１及び第２の吸収層を備え、第１の吸収層において、液透過性シートが、挟持部分（中央部分）で吸収性ポリマーを挟持し、挟持部分の両側の非挟持部分（端部）で折り畳まれており、狭持部分に対応する部分の坪量が、非挟持部分に対応する部分の坪量よりも多くなるように、消臭剤配置領域に消臭剤が配置される。吸収性物品をこの構成にすることで、吸収性物品の使用時に、相対的に高い位置の部分、すなわち挟持部分に対応する部分から低い位置の部分、すなわち非挟持部分に対応する部分に消臭剤が移動しても、坪量の高い部分から低い部分へ消臭剤が移動するだけなので、中央部分での消臭剤の量を確保できる。
【００１４】
（７）前記吸収層は、前記消臭剤と吸収性材料を含む消臭剤含有吸収材層と、前記消臭剤含有吸収材層を前記厚み方向の両側から狭持し包摂する上面シート及び下面シートと、前記消臭剤含有吸収剤層側の前記上面シート及び前記下面シートの少なくとも一方に形成された接着剤と、を更に備える、上記（１）乃至（６）のいずれか一項に記載の吸収性物品であってもよい。
本吸収性物品は、吸収層における消臭剤を含む消臭剤含有層の上面シート又は下面シートに接着剤を備えている。そのため、消臭剤含有層における接着剤に接する消臭剤は接着剤に保持されてほとんど動けず、接着剤に保持されていない消臭剤も、接着剤に保持された消臭剤との結合や摩擦などにより、その動きをある程は度拘束される。その結果、消臭剤が際限なく移動することを防止し、所定の範囲内で移動するようにすることができる。それにより、排泄物の排出される領域に適正な量の消臭剤を確保することが可能となる。
【００１５】
（８）前記消臭剤は、前記接着剤により前記上面シート及び前記下面シートの少なくとも一方に保持された保持消臭剤と、前記接着剤により前記上面シート及び前記下面シートに保持されずに、前記上面シートと前記下面シートとの間に移動可能に配置された非保持消臭剤と、を含む、上記（７）に記載の吸収性物品であってもよい。
本吸収性物品の吸収層は、上面シートと下面シートとの間で移動可能に配置された非保持消臭剤を含んでいる。そのため、その非保持消臭剤は、吸収性物品の動き（又は姿勢）に応じて、すなわち使用者の動きや姿勢に応じて動くことができる。例えば使用者が横向きに寝ると、吸収層の横部分が鉛直下方になるので、消臭剤が重力によりその横部分に移動することができる。それにより、使用者が横向きで排泄物を放出し、排泄物が重力によりその下側の横部分へ向かった時でも、その横部分に消臭剤が予め移動しているので、排泄物の臭気を確実に抑制することができる。すなわち、吸収層において変形や体勢の影響に拘らず、排泄物の排出される領域に適正な量の消臭剤を確保することが可能となる。
【発明の効果】
【００１６】
本発明によれば、吸収性物品の変形や体勢の影響に拘らず、排泄物の排出される領域に適正な量の消臭剤を確保することが可能な吸収性物品を提供できる。
【図面の簡単な説明】
【００１７】
【図１】実施形態の吸収性物品の構成を示す平面図である。
【図２】図１のＩＩ−ＩＩ'線に沿う断面図である。
【図３】実施形態の吸収性物品の各領域を説明するための平面図である。
【図４】図１のＩＩ−ＩＩ'線に沿う断面での消臭剤配置領域の消臭剤の分布を説明するための模式図である。
【図５】実施形態の吸収性物品の消臭剤の移動を説明するための模式図である。
【図６】他の実施形態の吸収性物品の図１のＩＩ−ＩＩ'線に沿う断面図である。
【図７】更に他の実施形態の吸収性物品の構成を示す平面図である。
【図８】図７のＶＩＩＩ−ＶＩＩＩ'線に沿う断面図である。
【図９】図７のＶＩＩＩ−ＶＩＩＩ'線に沿う断面での消臭剤配置領域の消臭剤の分布を説明するための模式図である。
【図１０】実施形態の吸収性物品の消臭剤の移動を説明するための模式図である。
【発明を実施するための形態】
【００１８】
以下、実施形態に係る吸収性物品について、図面を参照して説明する。本実施形態では、吸収性物品の例として軽失禁パッドについて説明する。したがって、本実施形態では、吸収性物品の吸収対象である排泄物は尿である。ただし、本発明の吸収性物品の種類及び用途は特に限定されるものではなく、パンティライナー、生理用ナプキン、使い捨ておむつ（テープ型、パンツ型）のような吸収性物品に適用することができる。
【００１９】
図１〜図３は本実施形態に係る吸収性物品１（軽失禁パッド）の構成を示している。ただし、図１は展開した状態の吸収性物品１の構成を示す平面図である。図２は図１のＩＩ−ＩＩ'線に沿う断面図である。図３は吸収性物品１の各領域を説明するための平面図である。吸収性物品１は、長手方向ＤＬ、幅方向ＤＷ及び厚さ方向ＤＴを有し、幅方向ＤＷの中心を通り、長手方向ＤＬに延びる中央軸線ＣＬと、長手方向ＤＬの中心を通り、幅方向ＤＷに延びる中央軸線ＣＷを更に有している。また、図１及び図３において、向って上方を吸収性物品１の前方とし、向って下方が吸収性物品１の後方とする。
【００２０】
本明細書においては、中央軸線ＣＬに向かう方向を、幅方向ＤＷにおける内側の方向といい、中央軸線ＣＬから遠ざかる方向を、幅方向ＤＷにおける外側の方向という。同様に、中央軸線ＣＷに向かう方向を、長手方向ＤＬにおける内側の方向といい、中央軸線ＣＷから遠ざかる方向を長手方向ＤＬにおける外側の方向という。また、吸収性物品１の厚さ方向ＤＴにおいて、着用者の肌対向面に対向する側（肌対向面側）に向かう方向を、肌対向面側の方向といい、着用者の肌対向面に対向する側とは反対側（非肌対向面側）に向かう方向を、非肌対向面側の方向という。
【００２１】
図１に示すように、本実施形態の吸収性物品１は、平面視にて、長手方向ＤＬに延びる長辺と幅方向ＤＷに延びる短辺を有する長方形の長手方向両端縁が円弧状に膨らんだ形状を有している。ただし、本発明において吸収性物品１の形状は、このような形状に限定されず、長手方向ＤＬの長さ寸法が幅方向ＤＷの幅寸法よりも長い長形状のものであれば、任意の縦長の形状（例えば、長方形、楕円形、瓢箪形など）とすることができる。
【００２２】
図２に示すように、本実施形態の吸収性物品１は、表面シート２（液透過性層）と、裏面シート３（液不透過性層）と、表面シート２と裏面シート３との間に位置する吸収層、すなわち吸収性シートＳＡ１（第１の吸収層）及び消臭剤含有層ＳＡ２（第２の吸収層）を含む吸収層と、を備えている。表面シート（液透過性層）２は、厚さ方向ＤＴにおいて着用者の肌対向面側に位置する液透過性シートである。表面シート２としては、例えば液透過性の不織布や織布、液透過孔が形成された合成樹脂フィルム、これらの複合シートなど、任意の液透過性シートが挙げられる。裏面シート３（液不透過性層）は、着用者の非肌対向面側に位置する液不透過性のシートである。裏面シート３としては、例えば液不透過性の不織布や合成樹脂フィルム、不織布と合成樹脂フィルムとの複合シート、ＳＭＳ不織布など、任意の液不透過性シートが挙げられる。吸収性シートＳＡ１（第１の吸収層）は、表面シート２と裏面シート３との間に位置する、液吸収性能及び液保持性能を有し、好ましくは消臭性能を有する層である。吸収性シートＳＡ１は、本実施形態では、吸収性ポリマー６を含む吸収性材料を２枚の液透過性シート７、７’（例示：エアスルー不織布）で挟持した構成を有する。消臭剤含有層ＳＡ２（第２の吸収層）は、吸収性シートＳＡ１と裏面シート３との間に位置する、液吸収性能、液保持性能及び消臭性能を有する層である。消臭剤含有層ＳＡ２は、本実施形態では、消臭剤（例示：シクロデキストリン）と吸収性ポリマー及び液保持性物質（例示：パルプ）の混合物とを含む消臭剤含有吸収材層４を２枚の液透過性シート（例示：ティッシュ）からなるキャリアシート５、５’（上面シート、下面シート）で挟持した構成を有する。なお、本実施形態の吸収性物品１では、吸収性シートＳＡ１の配置位置は、表面シート２と消臭剤含有層ＳＡ２との間ならば特に制限されず、また消臭剤含有層ＳＡ２の液吸収性能や液保持性能や排泄物の拡散性能が十分であれば吸収性シートＳＡ１を省略してもよい。
【００２３】
図２に示すように、本実施形態の吸収性物品１は、更に、一対のサイドギャザーシート８ａ，８ａ’と、外装シート８ｂと、線状弾性部材９，９’と、固定部３３、３３と、を備えている。一対のサイドギャザーシート８ａ、８ａ’は、表面シート２における幅方向ＤＷの両側の表面を覆うように配置され、長手方向ＤＬに延びる防漏壁である。一対のサイドギャザーシート８ａ、８ａ’は、表面シート２の幅方向ＤＷの両側の表面において立設可能に折り畳まれ、幅方向ＤＷの内側の端縁がギャザー部を形成するように自由端とされている。線状弾性部材９、９’は、一対のサイドギャザーシート８、８’の自由端の近傍に、長手方向ＤＬに沿って延びる線状の弾性体である。線状弾性部材９、９’は、一対のサイドギャザーシート８、８’のそれぞれに２本ずつ配置され、一対のサイドギャザーシート８、８’の端縁を収縮させる。外装シート８ｂは、裏面シート３の非肌対向面側に接合され、その周縁部分において一対のサイドギャザーシート８ａ、８ａ’と相互に接合されている。固定部３３、３３は、外装シート８ｂにおける吸収層と反対側に、長手方向ＤＬに沿って貼り付けられた細長い矩形状の粘着テープである。固定部３３、３３は、吸収性物品１の個包装時にはセパレータを介して吸収性物品１を包装シート（図示されず）に固定し、吸収性物品１の使用時には吸収性物品１を着用者の下着などに再固定する。
【００２４】
吸収性物品１は、図３に示すように、平面視にて、略中央の領域に、排泄口当接域ＴＳを有している。排泄口当接域ＴＳは、中央軸線ＣＬを幅方向ＤＷに跨って延在すると共に、中央軸線ＣＷを長手方向ＤＬに跨って延在している。本実施形態では、排泄口当接域ＴＳの幅方向ＤＷの中心が中央軸線ＣＬとほぼ重なり、長手方向ＤＬの中心が中央軸線ＣＷとほぼ重なる。ここで、「排泄口当接域」とは、着用者が吸収性物品を着用する際に、着用者の排泄口の位置に対応する領域であり、すなわち着用者の排泄口が当接し得る領域を指し、吸収性物品の種類、具体的には、着用者から排出される尿や便、経血などの排泄物の種類、着用者の年齢や性別などに応じて、吸収性物品の種類毎に適宜設定される領域である。本実施形態では、長手方向ＤＬに長い長方形の形状とする。なお、排泄口当接域ＴＳは、一例としては、後述の圧搾部１４の内側の領域であり、例えば吸収性物品の長手方向ＤＬの全長の約１／３程度の長手方向長さと、吸収性物品の幅方向ＤＷの全長の約１／３程度の幅方向長さを有する。排泄物は、着用者の排泄口から排出されると、まず主に排泄口当接域ＴＳにおいて吸収性物品１に吸収され、次いで表面シート２及び吸収層において吸収されつつ主に長手方向ＤＬに拡散する。
【００２５】
また、図３に示すように、本実施形態の吸収性物品１において、消臭剤含有層ＳＡ２は、平面視にて、吸収性物品１の長手方向ＤＬ及び幅方向ＤＷに延在する接着剤塗工領域ＴＨと、長手方向ＤＬ及び幅方向ＤＷに延在する消臭剤配置領域ＴＣと、を有している。ただし、消臭剤置領域ＴＣの長手方向ＤＬにおける両端縁ＥＬＣ、Ｅ’ＬＣ及び幅方向ＤＷにおける両端縁ＥＷＣ、Ｅ’ＷＣは、それぞれ接着剤塗工領域ＴＨの長手方向ＤＬにおける両端縁ＥＬＨ、Ｅ’ＬＨ及び幅方向ＤＷにおける両端縁ＥＷＨ、Ｅ’ＷＨよりも、長手方向ＤＬ及び幅方向ＤＷにおいて内側に位置している。
【００２６】
ここで、「接着剤塗工領域」とは、消臭剤含有層ＳＡ２における消臭剤含有吸収材層４をキャリアシート５及び／又はキャリアシート５’に接着するための接着剤がキャリアシート５及び／又はキャリアシート５’に塗工された平面視における領域を意味する。具体的には、吸収性物品１の長手方向ＤＬ及び幅方向ＤＷに延設される領域である。その形状は任意であるが、本実施形態では、長手方向ＤＬの端縁ＥＬＨ、Ｅ’ＬＨと幅方向ＤＷの端縁ＥＷＨ、Ｅ’ＷＨとを有する長方形の長手方向両端縁が円弧状に膨らんだ形状を有している。また、本実施形態では、この接着剤塗工領域ＴＨは、キャリアシート５’上に形成されている。この接着剤塗工領域ＴＨは、着用者から排出された排泄物と消臭剤との接触効率の観点から、図３に示すように、平面視にて、吸収性物品の長手方向ＤＬに延びる中央軸線ＣＬを幅方向ＤＷに跨って該幅方向ＤＷに延在すると共に、吸収性物品の幅方向ＤＷに延びる中央軸線ＣＷを長手方向ＤＬに跨って該長手方向ＤＬに延在する領域が好ましい。
【００２７】
また、「消臭剤配置領域」とは、所定坪量以上の消臭剤がキャリアシート５’（消臭剤保持シート）の表面上に配置された平面視における領域を意味し、具体的には、長手方向ＤＬ及び幅方向ＤＷに延設される領域である。その形状は任意であるが、本実施形態では、長手方向ＤＬの端縁ＥＬＣ、Ｅ’ＬＣと幅方向ＤＷの端縁ＥＷＣ、Ｅ’ＷＣとを有する細長い長方形の形状を有している。この消臭剤配置領域ＴＣは、着用者から排出された排泄物と消臭剤との接触効率の向上等の観点から、図３に示すように、平面視にて、吸収性物品の長手方向ＤＬに延びる中央軸線ＣＬを幅方向ＤＷに跨って該幅方向ＤＷに延在すると共に、吸収性物品の幅方向ＤＷに延びる中央軸線ＣＷを長手方向ＤＬに跨って該長手方向ＤＬに延在する領域であることが好ましい。また、本実施形態では、消臭剤配置領域ＴＣの幅方向ＤＷの中心が中央軸線ＣＬとほぼ重なり、長手方向ＤＬの中心が中央軸線ＣＷとほぼ重なる。言い換えると、排泄口当接域ＴＳ及び消臭剤配置領域ＴＣにおいて、幅方向ＤＷの中心及び長手方向ＤＬの中心がそれぞれ重なる。それにより、排泄口から排出される排出物を消臭剤配置領域ＴＣに確実に導くことができる。
【００２８】
本実施形態において、吸収性物品１は、消臭剤含有層ＳＡ２内の消臭剤が、接着剤によりキャリアシート５’（下面シート）に部分的に接合されており、且つ、平面視にて、消臭剤配置領域ＴＣの長手方向ＤＬにおける両端縁ＥＬＣ、Ｅ’ＬＣ及び幅方向ＤＷにおける両端縁ＥＷＣ、Ｅ’ＷＣが、それぞれ接着剤塗工領域ＴＨの長手方向ＤＬにおける両端縁ＥＬＨ、Ｅ’ＬＨ及び幅方向ＤＷにおける両端縁ＥＷＨ、Ｅ’ＷＨよりも、長手方向ＤＬ及び幅方向ＤＷにおいて内側に位置する構造を有している。そのため、消臭剤が接着剤によってキャリアシート５’に保持されている部分では、消臭剤含有吸収材層４内の消臭剤がキャリアシート５’の面方向に移動し難くなっている。一方、消臭剤が接着剤によってキャリアシート５’に保持されていない部分では、接着剤に接触していないことに加えて、消臭剤含有吸収材層４の構成（後述）等により、消臭剤含有吸収材層４内の消臭剤がキャリアシート５’の面方向に一定程度移動することができるようになっている。すなわち消臭剤含有吸収材層４の構成等により、意図的に消臭剤の一部を移動可能に配置している。ただし、消臭剤配置領域ＴＣの長手方向ＤＬにおける両端縁ＥＬＣ、Ｅ’ＬＣ及び幅方向ＤＷにおける両端縁ＥＷＣ、Ｅ’ＷＣよりもそれぞれ外側に位置する接着剤により、それより外側へは移動し難くなっている。更に、接着剤によってキャリアシート５’に保持されていない消臭剤も、接着剤によってキャリアシート５’に保持された消臭剤との結合や摩擦などにより、その動きをある程度は拘束される。したがって、本実施形態の吸収性物品１は、消臭剤含有層ＳＡ２内の消臭剤を、移動可能に保持しつつ、概ね接着剤によって規定された接着剤塗工領域ＴＨ内に留めておくことができ、消臭剤が消臭剤配置領域ＴＣを超えて偏在化するのを抑制することができる。すなわち、消臭剤が際限なく移動することを防止しつつ、所定の範囲内で移動可能にすることができる。それにより、必要な場所に、すなわち排泄物の排出される領域に適正な量の消臭剤を確保することが可能となる。
【００２９】
図４は吸収性物品１における図１のＩＩ−ＩＩ'線に沿った断面での消臭剤配置領域ＴＣの消臭剤の分布を説明するための模式図である。横軸は幅方向ＤＷにおける吸収性物品１での位置を示し、縦軸は消臭剤の坪量を示し、曲線ＢＷは消臭剤の坪量の分布を示す曲線である。本実施形態では、消臭剤の坪量の分布が図４に示す曲線ＢＷとなるように、キャリアシート５’表面に消臭剤を配置する。ただし、曲線ＢＷは、消臭剤配置領域ＴＣの中央領域（中央軸線ＣＬを含む領域）でピークを有する上に凸の曲線である。消臭剤含有層ＳＡ２における消臭剤以外の材料は場所によらずほぼ同一とする。曲線ＢＷは、例えば、中央軸線ＣＬを含む領域にピークを有し、中央軸線ＣＬを基準として幅方向ＤＷに線対称な略釣鐘形状又は略台形状の曲線が挙げられる。したがって、消臭剤配置領域ＴＣの中央領域では消臭剤の坪量が相対的に大きく、消臭剤配置領域ＴＣの両端部領域では消臭剤の坪量が相対的に小さい。言い換えると、消臭剤配置領域ＴＣの中央領域内の任意の位置での消臭剤の坪量は、消臭剤配置領域ＴＣの両端部領域内での任意の位置での消臭剤の坪量より小さい。したがって、消臭剤配置領域ＴＣは、中央領域に相対的に大きい坪量の消臭剤が、両端部領域に相対的に小さい坪量の消臭剤が、それぞれキャリアシート５’の表面上に配置された平面視における領域ということができる。
【００３０】
次に、消臭剤配置領域ＴＣにおける長手方向ＤＬの所定位置での第１方向の消臭剤の坪量の分布の変化の一例について説明する。ここでは、一例として図１のＩＩ−ＩＩ'線に沿った断面における消臭剤の坪量の変化について説明する。すなわち、所定位置は中央軸線ＣＷと中央軸線ＣＬとの交点の位置であり、第１方向は幅方向ＤＷである。図５は、実施形態に係る吸収性物品１の消臭剤の移動の一例を説明するための模式図であり、図１のＩＩ−ＩＩ'線に沿った断面における消臭剤の坪量の変化を示している。ただし、図５（ａ）は吸収性物品１を使用する前（未使用時）の消臭剤の坪量の分布を示し、図４と実質的に同じである。図５（ｂ）は吸収性物品１を使用する際に吸収性物品１を変形している途中（使用開始時）の消臭剤の坪量の分布を示す。図５（ｃ）は吸収性物品１を使用の最中（使用時）での消臭剤の坪量の分布を示す。また、図面に向かって上下方向が鉛直方向であり、図中の図形の厚さで消臭剤の坪量を表している。
【００３１】
図５（ａ）に示すように、未使用時では、消臭剤配置領域ＴＣの幅方向ＤＷにおいて、中央領域の消臭剤の坪量ＱＭ０が中央領域の両側の両端部領域の消臭剤の坪量ＱＥ０よりも多くなるように（図４のように）消臭剤が予め配置されている。この場合、およそＱＭ０＞＞ＱＥ０の関係がある。続いて、図５（ｂ）に示すように、使用開始時、すなわち着用者が吸収性物品１を下着に装着するとき、例えば、吸収性物品１が着用者の両足の付け根に挟まれることなどにより、幅方向ＤＷにおいて、中央領域で肌対向面側に凸であり、長手方向ＤＬに延びる畝が形成されるように変形される。その結果、鉛直方向において、中央領域が相対的に高い位置となり、両端部分が相対的に低い位置となる。ここで、消臭剤含有吸収材層４内において接着剤によってキャリアシート５’に保持されていない消臭剤は、キャリアシート５’の面方向に一定程度移動することができるようになっている。したがって、中央領域が相対的に高い位置となり、両端部領域が相対的に低い位置となることにより、中央領域の消臭剤は、重力により、鉛直方向において相対的に低い位置、すなわち両端部領域へ移動することになる。それゆえ、中央領域の消臭剤の坪量が減少してＱＭ１（＜ＱＭ０）となり、両端部領域の消臭剤の坪量が増加してＱＥ１（＞ＱＥ０）となる。ただし、ＱＭ１＞ＱＥ１である。更に、図５（ｃ）に示すように、使用時では、例えば、吸収性物品１が着用者の両足の付け根の動きや振動などにより、幅方向ＤＷにおいて中央領域で肌対向面側に更に凸の形状となるように変形される。その結果、鉛直方向において、中央領域が相対的に更に高い位置となり、両端部領域が相対的に更に低い位置となる。それに伴い、中央領域の消臭剤は、重力により、鉛直方向において相対的に低い位置、すなわち両端部領域へ更に移動することになる。すなわち、中央領域の消臭剤の坪量が減少してＱＭ２（＜ＱＭ１）となり、両端部領域の消臭剤の坪量が増加してＱＥ２（＞ＱＥ１）となる。ただし、ＱＭ２≒ＱＥ２である。
【００３２】
このようにして、吸収性物品１の使用時の変形や着用者の動きなどにより、吸収性物品１に、鉛直方向にて相対的に高い位置の部分と低い位置の部分とが生じると、相対的に高い位置の部分から低い位置の部分に消臭剤が移動する。そこで吸収性物品１では、相対的に高い位置になる部分の消臭剤の坪量を、相対的に低い位置になる部分の消臭剤の坪量よりも予め多くしておく。それにより、相対的に高い位置の部分から低い位置の部分に消臭剤が移動しても、坪量の多い部分から少ない部分へ消臭剤が移動するだけなので、相対的に高い位置の部分での消臭剤の量を確保できる。すなわち、使用前に消臭剤配置領域ＴＣの消臭剤の坪量に分布を付けることで、使用時の変形や着用者の動きにより、消臭剤の坪量の不均一が生じることを抑制できる。ここで、鉛直方向において、排泄口当接域ＴＳを通る断面における相対的に高い位置は、排泄物が排泄されたとき概ね最初に接触する（吸収する）箇所ということができる。したがって、吸収層において変形や体勢の影響に拘らず、排泄物の排出される領域に適正な量の消臭剤を確保することが可能となる。
【００３３】
ここで、着用者が吸収性物品１を下着に装着するときに肌対向面側に対して凸の状態となる吸収性物品１としては、例えば、女性用の軽失禁パッド、パンティライナー、生理用ナプキンなどが挙げられる。これらの場合、図４において説明された消臭剤の坪量の分布を有するように消臭剤配置領域ＴＣに消臭剤を配置することが好ましい。すなわち、その分布は、中央領域で相対的に消臭剤の坪量が高く、両端部領域で相対的に消臭剤の坪量が低い分布である。例えば中央領域にピークを有する上に凸の曲線状の分布であり、具体的には略釣鐘形又は略台形の曲線状の分布が挙げられる。なお、肌対向面側に凸の畝が複数形成される場合は、消臭剤の分布を畝ごとに上記凸の曲線状の分布とすればよい。
【００３４】
上述の図４及び図５では、幅方向ＤＷを第１の方向の例として説明したが、本発明はその例に限定されるものでは無く、第１の方向は他の方向であってもよいし、一つの方向だけでなく複数の方向であってもよい。他の方向の例としては、吸収性物品１の使用（開始）時に、吸収性物品１が、長手方向ＤＬにおいて消臭剤配置領域ＴＣの中央領域で肌対向面側に凸であり、幅方向ＤＷに延びる畝が形成されるように変形される場合が挙げられる。この場合、長手方向ＤＬの中央領域で消臭剤の坪量を相対的に大きくし、長手方向ＤＬの中央領域の両側の両端部領域で消臭剤の坪量を相対的に小さくする。複数の方向の例としては、吸収層の排泄口当接域ＴＳ内に、例えば略楕円形状の嵩高部が設けられている場合が挙げられる。そのような嵩高部は全体的に山型であり、どの方向の断面でも肌対向面側に凸であり、第１の方向は全方向ということができる。
【００３５】
本実施形態の吸収性物品１では、消臭剤含有層ＳＡ２の消臭剤含有吸収材層４の消臭剤は、接着剤によってキャリアシート５’に保持された消臭剤（保持消臭剤）と、接着剤によってキャリアシート５’に保持されていない消臭剤（非保持消臭剤）とを含んでいる。そして、キャリアシート５（上面シート）及びキャリアシート５’（下面シート）により狭持され包摂された消臭剤含有吸収材層４内において、非保持消臭剤は、キャリアシート５（上面シート）とキャリアシート５’（下面シート）との間に移動可能に配置されており、上記図５や後述の図１０のように消臭剤含有層ＳＡ２を移動できる。このように一部の消臭剤を移動可能に配置する方法としては、例えば以下の方法が挙げられる。すなわち、消臭剤の移動を意図しない通常の場合と比較して、キャリアシート５’上の接着剤の塗布量や塗布面積を減らしたり、塗布パターン内の隙間を多くしたりするなど接着剤との接触を減らす方法や、消臭剤含有吸収材層４内の消臭剤以外の液保持性物質などの坪量を減らしたり、消臭剤の坪量を増やしたりするなど消臭剤含有吸収材層４の消臭剤の相対密度を増やす方法や、粒子状の消臭剤の粒径を小さくしたり、表面を平滑化したりするなど消臭剤の粒子自身を移動し易くする方法や、これらの組み合わせなどが挙げられる。
【００３６】
それにより、その非保持消臭剤は、吸収性物品１の動き（又は姿勢）に応じて、すなわち使用者の動きや姿勢に応じて動くことができる。例えば使用者が横向きに寝ると、吸収層の横部分が鉛直下方になるので、消臭剤が重力によりその横部分に移動することができる。それにより、使用者が横向きで排泄物を放出し、排泄物が重力によりその下側の横部分へ向かった時でも、その横部分に消臭剤が予め移動しているので、排泄物の臭気を確実に抑制することができる。すなわち、吸収層において変形や体勢の影響に拘らず、排泄物の排出される領域に適正な量の消臭剤を確保することが可能となる。
【００３７】
この場合、吸収性物品１の製造工程において、消臭剤を消臭剤配置領域ＴＣに配置する工程では、消臭剤配置領域ＴＣでの消臭剤の坪量が上記の図４で説明された消臭剤の坪量の分布となるように、消臭剤がキャリアシート５’上に配置される。その配置方法としては、例えば幅方向ＤＷに沿って、消臭剤配置領域ＴＣ用及びその両側の領域用にそれぞれ消臭剤供給管を配置し、消臭剤配置領域ＴＣ用の消臭剤供給管での消臭剤の供給量を多くし、その両側の領域用の消臭剤供給管での消臭剤の供給量を少なくする方法が挙げられる。あるいは、例えば、キャリアシート５’表面の領域の上方から消臭剤配置領域ＴＣに、予め設定された運動量又はエネルギーで勢い良く消臭剤を供給することにより、消臭剤配置領域ＴＣに消臭剤を堆積させつつ、堆積された消臭剤のうちの上部の消臭剤が崩れて消臭剤配置領域ＴＣにおける幅方向ＤＷの両側に拡がるようにする方法が挙げられる。
【００３８】
なお、本発明の吸収性物品１においては、消臭剤配置領域ＴＣと接着剤塗工領域ＴＨとの構成は上述された構成に限定されるものではない。例えば、消臭剤配置領域ＴＣの長手方向ＤＬにおける両端縁ＥＬＣ、Ｅ’ＬＣ又は幅方向ＤＷにおける両端縁ＥＷＣ、Ｅ’ＷＣのいずれかが、接着剤塗工領域ＴＨの長手方向における両端縁ＥＬＨ、Ｅ’ＬＨ又は幅方向ＤＷにおける両端縁ＥＷＨ、Ｅ’ＷＨよりも、長手方向ＤＬ又は幅方向ＤＷにおいて内側に位置する構造を有していればよい。そのような構造を有する吸収性物品においても、消臭剤含有層内の消臭剤を接着剤によって規定された接着剤塗工領域ＴＨ内に一定程度留めておくことができ、消臭剤が偏在化するのを十分に防ぐことができる。
【００３９】
更に、本実施形態の吸収性物品１は、吸収層（吸収性シートＳＡ１と消臭剤含有層ＳＡ２）において、排泄口当接域ＴＳに吸収層の嵩が周辺部よりも高い部分、すなわち嵩高部（図示せず）を備えていてもよい。嵩高部は排泄口に対応する位置に形成するために、例えば排泄口当接域ＴＳの中央領域に形成される。嵩高部は、吸収性シートＳＡ１及び消臭剤含有層ＳＡ２の少なくとも一方に形成される。嵩高部は、厚さ方向ＤＴにおいて周辺部よりも厚く形成される。ここで、吸収性物品１は、使用時に着用者の両足の付け根に挟まれることなどにより上方（肌対向面側）に凸の形状となるように変形されるが、吸収性物品１のうちの厚さが厚い部分ほど変形され難く、厚さが薄い部分ほど変形されやすい。そして、本実施形態の吸収性物品１は厚さが厚い嵩高部を有しているので、嵩高部は変形されず、嵩高部の周辺部が変形されて鉛直下方に向き、全体として凸の形状となる。すなわち、嵩高部は使用時に鉛直方向に相対的に高い位置になる部分ということができる。したがって、この場合、嵩高部の坪量が周辺部の坪量よりも大きくなるように消臭剤を配置することが好ましい。それにより、吸収層において変形や体勢の影響に拘らず、排泄物の排出される領域に適正な量の消臭剤を確保することが可能となる。
【００４０】
また、本実施形態の吸収性物品１は、図３に示すように、圧搾部１４を備えている。圧搾部１４は、排泄口当接域ＴＳに対して幅方向ＤＷの外側に位置し、長手方向ＤＬに延設されている。圧搾部１４は、幅方向ＤＬへの排泄物の拡散を抑制すると共に、長手方向ＤＬに拡散させる。本実施形態では、圧搾部１４は、エンボス加工により形成される圧搾溝であり、幅方向ＤＷにおいて排泄口当接域ＴＳの両外側に延設されている。また、本実施形態では、圧搾部１４（圧搾溝）は、厚さ方向ＤＴに表面シート２の表面から吸収性シートＳＡ１の内部まで達する溝であり、圧搾溝の底部の下側部分（非肌対向面側部分）には、圧搾によって周囲よりも繊維密度の高い高密度部１５が形成されている。なお、圧搾部１４（圧搾溝）は、厚さ方向ＤＴに表面シート２の表面から消臭剤含有層ＳＡ２の内部、例えばキャリアシート５まで達する溝であってもよい。
【００４１】
このように吸収性物品１では、幅方向ＤＷの中央領域、すなわち鉛直方向に相対的に高い位置になる部分における幅方向ＤＷの両外側に、消臭剤含有層ＳＡ２の内部まで達する圧搾部１４（圧搾溝）が形成されている場合には、高い位置になる部分の消臭剤が幅方向ＤＷに拡がり過ぎることを防止できる。すなわち、変形や体勢の影響により消臭剤が幅方向ＤＷに広がり過ぎて、排泄物の排出される領域の消臭剤が不足する事態を防止できる。それにより、吸収層において変形や体勢の影響に拘らず、排泄物の排出される領域に適正な量の消臭剤を確保することが可能となる。
【００４２】
また、本実施形態の吸収性物品１は、図１に示すように、吸収性物品１を着衣に固定するために所定の間隔で配置された複数の固定部３３を備えている。固定部３３としては、例えば接着剤や粘着シートが挙げられる。吸収性物品１は、個包装されるときには、複数の固定部３３により、略矩形状の包装シート（図示されず）に取り外し可能に固定され、その包装シートにより包装される。ただし、包装シートは、複数の固定部３３と接する部分に、それぞれ剥離シート（図示されず）を有しており、吸収性物品１は包装シートに剥離可能に固定される。それにより吸収性物品１は、使用時に包装シートから剥離され、複数の固定部３３により着用者の着衣に再固定される。本実施形態の吸収性物品１は、外装シート３の消臭剤含有層ＳＡ２と反対側の表面に、長手方向ＤＬに延在し、幅方向ＤＷの中心点（又は中央軸線ＣＬ）を挟んで所定の間隔で配置された一対の固定部３３を備える。
【００４３】
このような構成を有する吸収性物品１では、各固定部３３は着用者の着衣、例えば下着に粘着されるため、吸収性物品１における一対の固定部３３に対応する部分は下着と密着することにより高い剛性を有するようになる。ここで、吸収性物品１の使用時には、吸収性物品１における着用者の鼠蹊部に対面する部分は、両足の付け根に挟まれることにより、幅方向ＤＷにおいて両外側から内側へ圧縮される。このとき、鼠蹊部に対面する部分のうち、一対の固定部３３に対応する部分は高い剛性を有するため、当該部分そのものは幅方向ＤＷに圧縮されず、一対の固定部３３の間の部分（幅方向ＤＷの中央軸線ＣＬ上の部分に相当）が肌対向面側（上方側）に凸状に盛り上がることで、圧縮力を逃がしている。その結果、一対の固定部３３に対応する部分の間に、長手方向ＤＬに延在する凸状の畝部が形成される。すなわち、一対の固定部３３の間に対応する部分が使用時に鉛直方向に相対的に高い位置になる部分ということができる。したがって、この場合、一対の固定部３３の間に対応する部分、すなわち一対の固定部３３に対応する部分以外の部分での消臭剤の坪量が、一対の固定部３３に対応する部分での消臭剤の坪量よりも大きくなるように、消臭剤配置領域ＴＣに消臭剤を配置することが好ましい。それにより、吸収層において変形や体勢の影響に拘らず、排泄物の排出される領域に適正な量の消臭剤を確保できる。
【００４４】
なお、吸収性物品１は、排泄口当接域ＴＳに対して長手方向ＤＬの外側に位置し、幅方向ＤＷに延設された圧搾部を更に備えていてもよい。圧搾部は、厚さ方向ＤＴに表面シート２の表面から吸収性シートＳＡ１又は消臭剤含有層ＳＡ２の内部まで達する溝であり、エンボス加工により形成される。そのような圧搾部（圧搾溝）は、長手方向ＤＬへの排泄物の拡散を抑制すると共に、幅方向ＤＬに拡散させる。長手方向ＤＬの中央領域、すなわち鉛直方向に相対的に高い位置になる部分における長手方向ＤＬの両外側に、消臭剤含有層ＳＡ２の内部まで達する圧搾部１４（圧搾溝）が形成されている場合には、高い位置になる部分の消臭剤が長手方向ＤＬへに拡がり過ぎることを防止できる。すなわち、変形や体勢の影響により消臭剤が長手方向ＤＬへ広がり過ぎて、排泄物の排出される領域の消臭剤が不足する事態を防止できる。それにより、吸収層において変形や体勢の影響に拘らず、排泄物の排出される領域に適正な量の消臭剤を確保することが可能となる。
【００４５】
本実施形態の吸収性物品１において、吸収性シートＳＡ１は以下の方法で作製することができる。まず、上述の吸収性ポリマー６（吸収性材料）を、接着剤Ｇを塗工した２枚の液透過性シート７、７’の間の、該２枚の液透過性シート７、７’の幅方向における中央域に配置する。次に、当該吸収性ポリマー６が配置された領域（吸収性ポリマー配置領域１１）の幅方向の両側に隣接する領域に、吸収性ポリマー６が存在しないように、吸収性ポリマー６を２枚の液透過性シート７、７’で挟持する。その後、その２枚の液透過性シート７、７’の幅方向における両端縁側の吸収性ポリマー６が配置されていない領域（吸収性ポリマー非配置領域１２）を、それぞれ長手方向に延びる折畳み線に沿って幅方向の内側に折り畳む（いわゆる、額巻き）。以上により吸収性シートＳＡ１は形成される。
【００４６】
なお、２枚の液透過性シート７、７’の幅方向ＤＷにおける両端縁側の吸収性ポリマー非配置領域１２を幅方向ＤＷの内側に折り畳む際は、肌対向面側又は非肌対向面側のいずれの方向に折り畳んでもよい。このように吸収性ポリマー６を挟持した２枚の液透過性シート７、７’の各吸収性ポリマー非配置領域１２を折り畳むことで、吸収性ポリマー６が吸収性シートＳＡ１から漏出し難くなると共に、吸収性シートＳＡ１の折り畳まれた部分（折畳み部）が、４層の積層構造となることによって剛性が高くなる。ここで、吸収性物品１は、使用時に両足の付け根に挟まれることにより、幅方向ＤＷにおいて両外側から内側へ圧縮される。このとき、吸収性物品１の圧縮される部分のうち、折畳み部は高い剛性を有するため、当該部分そのものは幅方向ＤＷに圧縮されず、両者の間の部分、すなわち吸収性シートＳＡ１の中央部分が肌対向面側（上方側）に盛り上がるように変形することで、圧縮力を逃がしている。その結果、端部（非挟持部分）の間の中央部分（挟持部分）に、長手方向に延在する凸状の畝部が形成される。すなわち、凸状の畝部は使用時に鉛直方向に相対的に高い位置になる部分ということができる。したがって、この場合、挟持部分（凸状の畝部）に対応する消臭剤含有層ＳＡ２の消臭剤の坪量が、非挟持部分に対応する消臭剤の坪量よりも大きくなるように消臭剤を配置することが好ましい。それにより、排泄物の排出される領域に適正な量の消臭剤を確保することが可能となる。
【００４７】
次に、本実施形態における吸収性シートＳＡ１（第１の吸収層）の材料について説明する。まず、吸収性ポリマー６を含む吸収性材料において、吸収性ポリマー６としては、水を吸収して保持することのできるポリマーであれば特に制限はないが、例えば水溶性高分子が適度に架橋された三次元網目構造を有するポリマーなどが挙げられる。具体的には、デンプン系、アクリル酸系、アミノ酸系の粒子状又は繊維状ポリマーが挙げられる。このような吸収性ポリマーは、水だけでなく、アンモニア成分等からなる臭気も吸収するため、消臭効果も発揮することができる。また、吸収性ポリマー６として、吸収性ポリマー粒子と任意の消臭成分とを一体化した消臭成分含有吸収性ポリマーなども好適に用いることができる。なお、消臭成分は、アンモニアやジメチルアミン等の臭気成分を吸着することによって、これらの臭気成分に起因する臭気を消すことができる成分を意味する。そのような消臭成分としては、例えば、活性炭；アルミナ；ゼオライト；シクロデキストリン；銀や銅等の殺菌性金属カチオンで置換されたゼオライト、活性炭やアルミナ等の表面に殺菌作用を有する第４級アンモニウム塩化合物が付着した複合体などの殺菌性消臭成分；尿中の尿素を分解してアンモニア成分を生成する細菌を殺菌する殺菌剤含有吸収性ポリマー；又はこれら各消臭成分の２種以上の組合せが挙げられる。吸収性材料としては、上記の吸収性ポリマー６を含むものであれば特に制限はなく、当該吸収性ポリマー６のほかにパルプ等の吸水性繊維などからなる液保持性物質を含むことができる。また、液透過性シート７、７’としては、液透過性を有するシートであれば特に制限されず、例えば、エアスルー不織布、スパンボンド、積層不織布（例えば、ＳＢＳ不織布等）、ティッシュなどの親水性の不織布を用いることができる。
【００４８】
また、図２及び図３に示すように、本実施形態の吸収性物品１は、吸収性シートＳＡ１の幅方向ＤＷにおける両端縁側の折畳み部に、長手方向ＤLに延びる香料塗工領域ＴＦ、Ｔ’Ｆを備えており、臭気が拡散しても香りによりマスキングできる。
【００４９】
本発明の吸収性物品１においては、消臭剤含有層ＳＡ２の構造は上述の構造に限定されない。例えば、消臭剤含有層ＳＡ２は、粉粒物等の任意の形態のシクロデキストリンを、吸収性ポリマー及び／又は液保持性物質と共に、１枚の液透過性シートを折って挟むようにして、或いは３枚以上の液透過性シートで囲繞するようにして、或いは後述する他の実施形態のように、１枚の液透過性シート（シクロデキストリン被覆シート）で非肌対向面側から被覆するようにして、構成することができる。本発明においてキャリアシートに用いる液透過性シートは、例えば、パルプ等の細かい繊維の集合体からなる不織布（ティッシュを含む）、織布等の任意のシート状繊維構造体を用いることができる。
【００５０】
また、本実施形態の吸収性物品１において、消臭剤含有層ＳＡ２の消臭剤含有吸収材層４に含まれる消臭剤としては、消臭成分を含む材料が挙げられる。消臭成分は、アンモニアやジメチルアミン等の臭気成分を吸着することによって、これらの臭気成分に起因する臭気を消すことができる成分を意味する。そのような消臭成分としては、例えば、活性炭；アルミナ；ゼオライト；シクロデキストリン；銀や銅等の殺菌性金属カチオンで置換されたゼオライト、活性炭やアルミナ等の表面に殺菌作用を有する第４級アンモニウム塩化合物が付着した複合体などの殺菌性消臭成分；尿中の尿素を分解してアンモニア成分を生成する細菌を殺菌する殺菌剤含有吸収性ポリマー；又はこれら各消臭成分の２種以上の組合せが挙げられる。特に、消臭性能の面からシクロデキストリンが好ましい。
【００５１】
ここで、シクロデキストリンは、グルコピラノース単位がα−１，４結合によって連結された環状オリゴ糖である。本発明の吸収性物品に用いられるシクロデキストリンは、特に制限されず、α−、β−、γ−シクロデキストリン及び／又はそれらの混合物のほかに、化学修飾（例えば、メチル化やアセチル化）されたα−、β−、γ−シクロデキストリン及び／又はそれらの混合物などを用いることができる。本発明の吸収性物品に用いられるシクロデキストリンの形態は、特に制限されず、種々の形態のものを用いることができるが、分散性や製造時の取扱い易さ等の観点から、バインダーで粒径を調整したシクロデキストリン粉粒物として用いることが好ましい。
【００５２】
このような消臭剤含有層ＳＡ２は、消臭剤としての上記シクロデキストリンと、吸収性ポリマー及び液保持性物質の混合物とを含む消臭剤含有吸収材層４を、ホットメルト型の接着剤を用い、２枚のキャリアシート５、５’に接合することで得ることができる。具体的には、ティッシュ等からなるキャリアシート５’（消臭剤保持シート）を着用者の肌対向面側となる面を上にして、キャリアシート５’を静止した状態で又は搬送しながら、キャリアシート５’の肌対向面側の表面上に接着剤を吸収性物品１の長手方向ＤＬに対応する方向に沿って塗工する接着剤塗工工程と、シクロデキストリンを、接着剤が塗工された接着剤塗工領域ＴＨ内の少なくとも接着剤の表面上に配置する消臭剤配置工程と、吸収性ポリマー及び液保持性物質（例示：パルプ等）の混合物を、キャリアシート５’における接着剤塗工領域ＴＨ内の少なくとも接着剤及びシクロデキストリンの表面上に配置することで、消臭剤含有吸収材層４を形成する消臭剤含有吸収材層形成工程と、消臭剤含有吸収材層４の肌対向面側の表面上に、接着剤を介して又は介さないでキャリアシート５を配置するキャリアシート配置工程と、により上述の消臭剤含有層ＳＡ２を得ることができる。
【００５３】
次に、他の実施形態について説明する。本実施の形態では、上記図１〜図５を用いて説明された実施形態と相違する点について主に説明する。図６は、他の実施形態の吸収性物品１における図１のＩＩ−ＩＩ’線に沿う断面図である。この本実施形態に係る吸収性物品１は、以下のこと以外は、上記図１〜図５を用いて説明された実施形態と同様の構成を有している。すなわち、消臭剤（例示：シクロデキストリン）を含有する層（上記実施形態では、消臭剤含有吸収材層４）が消臭剤のみで構成された消臭剤層４’であること、該消臭剤の少なくとも一部が、表面シート２及び消臭剤層４’の間に位置する液透過性シート７’の非肌対向面側の表面（保持面）上に保持され、且つ液透過性シート７’が、保持面とは反対側の面に吸収性ポリマー６等の吸収性材料を保持して、吸収性材料の肌対向面側に配置される液透過性シート７と共に、吸収性シートＳＡ１を形成していること、及び消臭剤が、ティッシュ等の液透過性シートからなる消臭剤被覆シート１０によって、非肌対向面側から被覆されていること（すなわち、消臭剤含有層ＳＡ２が、消臭剤層４’及び消臭剤被覆シート１０を含むこと）、である。
【００５４】
本実施形態の吸収性物品１は、消臭剤（例示：シクロデキストリン）を含有する層が消臭剤のみによって構成されているため、着用者から排出された尿などの排泄物が消臭剤に接触する機会を増大させることができると共に、消臭剤を含有する層の厚さを薄くすることができ、吸収量に応じた薄型化等の任意の製品設計を実現することができる。
【００５５】
次に、更に他の実施形態について説明する。本実施形態では上記図１〜図５を用いて説明された実施形態と相違する点について主に説明する。図７〜図８は本実施形態に係る吸収性物品１ａ（軽失禁パッド（男性用））の構成を示している。ただし、図７は展開した状態の吸収性物品１ａの構成を示す平面図である。図８は図７のＶＩＩＩ−ＶＩＩＩ'線に沿う断面図である。本実施形態に係る吸収性物品１ａは、以下のこと以外は、上記図１〜図５を用いて説明された実施形態と同様の構成を有している。すなわち、男性用の形状をすること、消臭剤の坪量のピークが中央軸線ＣＬ上に無いこと（後述）、吸収層において吸収性シートを有さないこと、である。ただし、本実施形態の吸収性物品１ａは、上記図１〜図５を用いて説明された実施形態と同様に吸収性シートを備えていてもよい。
【００５６】
図９は吸収性物品１における図７のＶＩＩＩ−ＶＩＩＩ'線に沿う断面での消臭剤配置領域ＴＣの消臭剤の分布を説明するための模式図である。横軸は幅方向ＤＷにおける吸収性物品１での位置を示し、縦軸は消臭剤の坪量を示し、曲線ＢＷは消臭剤の坪量の分布を示す曲線である。本実施形態では、消臭剤の坪量の分布が図９に示す曲線ＢＷとなるようにキャリアシート５’表面に消臭剤を配置する。ただし、曲線ＢＷは、消臭剤配置領域ＴＣにおける両端部と中央軸線ＣＬとの間の両端部領域にそれぞれピークを有する、すなわち二つのピークを有する曲線である。消臭剤含有層ＳＡ２における消臭剤以外の材料は場所によらずほぼ同一とする。したがって、消臭剤配置領域ＴＣの両端部領域のピーク近傍では消臭剤の坪量が相対的に大きく、消臭剤配置領域ＴＣの中央領域では消臭剤の坪量が相対的に小さい。したがって、消臭剤配置領域ＴＣは、両端部領域に相対的に大きい坪量の消臭剤が、中央領域に相対的に小さい坪量の消臭剤が、それぞれキャリアシート５’の表面上に配置された平面視における領域ということができる。
【００５７】
次に、消臭剤配置領域ＴＣにおける長手方向ＤＬの所定位置での第１方向の消臭剤の坪量の分布の変化の一例について説明する。ここでは、一例として図７のＶＩＩＩ−ＶＩＩＩ'線に沿った断面における消臭剤の坪量の変化について説明する。すなわち、所定位置は中心軸線ＣＷと中心軸線ＣＬとの交点の位置であり、第１方向は幅方向ＤＷである。図１０は、実施形態に係る吸収性物品１ａの消臭剤の移動の一例を説明するための模式図であり、図７のＶＩＩＩ−ＶＩＩＩ'線に沿った断面における消臭剤の坪量の変化を示している。ただし、図１０（ａ）は吸収性物品１ａを使用する前（未使用時）の消臭剤の坪量の分布を示し、図９と実質的に同じである。図１０（ｂ）は吸収性物品１ａを使用する際に吸収性物品１ａを変形している途中（使用開始時）の消臭剤の坪量の分布を示す。図１０（ｃ）は吸収性物品１ａを使用の最中（使用時）での消臭剤の坪量の分布を示す。また、図面に向かって上下方向が鉛直方向であり、図中の図形の厚さで消臭剤の坪量を表している。
【００５８】
図１０（ａ）に示すように、未使用時では、消臭剤配置領域ＴＣの幅方向ＤＷにおいて、中央領域の消臭剤の坪量ＱＭ０が中央領域の両側の両端部領域の消臭剤の坪量ＱＥ０よりも少なくなるように（図９のように）消臭剤が予め配置されている。この場合、およそＱＭ０＜＜ＱＥ０の関係がある。続いて、図１０（ｂ）に示すように、使用開始時、すなわち着用者（男性）が吸収性物品１ａを下着に装着すると、吸収性物品１ａが着用者の陰茎及び陰嚢を包み込む。それにより、幅方向ＤＷにおいて、中央領域で肌対向面側に凹となるような凹部が形成されるように変形される。その結果、鉛直方向において、中央領域が相対的に低い位置となり、両端部分が相対的に高い位置となる。ここで、上述のように、消臭剤含有吸収材層４内において接着剤によってキャリアシート５’に保持されていない消臭剤は、キャリアシート５’の面方向に一定程度移動することができるようになっている。したがって、中央領域が相対的に低い位置となり、両端部領域が相対的に高い位置となることにより、両端部領域の消臭剤は、重力により、鉛直方向において相対的に低い位置、すなわち中央領域へ移動することになる。それゆえ、中央領域の消臭剤の坪量が増加してＱＭ１（＞ＱＭ０）となり、両端部領域の消臭剤の坪量が減少してＱＥ１（＜ＱＥ０）となる。ただし、ＱＥ１＞ＱＭ１である。更に、図１０（ｃ）に示すように使用時では、例えば吸収性物品１が着用者の体の動きや振動などにより、幅方向ＤＷにおいて中央領域で肌対向面側に更に凹の形状となるように変形される。その結果、鉛直方向において、中央領域が相対的に更に高い位置となり、両端部領域が相対的に更に低い位置となる。それに伴い、両端部領域の消臭剤は、重力により、鉛直方向において相対的に低い位置、すなわち中央領域へ更に移動することになる。すなわち、中央領域消臭剤の坪量が増加してＱＭ２（＞ＱＭ１）となり、両端部領域の消臭剤の坪量が減少してＱＥ２（＜ＱＥ１）となる。ただし、ＱＭ２≒ＱＥ２である。
【００５９】
この場合にも、相対的に高い位置になる部分が、相対的に低い位置になる部分よりも消臭剤の坪量を予め多くされている。そのため、相対的に高い位置の部分から低い位置の部分に、移動可能な非保持消臭剤が移動しても、坪量の多い部分から少ない部分へ消臭剤が移動するだけなので、相対的に高い位置の部分での消臭剤の量を確保できる。したがって、吸収層の変形や体勢の影響に拘らず、排泄物の排出される領域に適正な量の消臭剤を確保することが可能となる。
【００６０】
ここで、着用者が吸収性物品１を下着に装着するときに肌対向面側に対して凹状態となる吸収性物品１としては、男性用の軽失禁パッド、使い捨ておむつなどが挙げられる。これらの場合、図９において説明された消臭剤の坪量の分布を有するように消臭剤配置領域ＴＣに消臭剤を配置することが好ましい。すなわち、その分布は、中央領域で相対的に消臭剤の坪量が低く、両端部領域で相対的に消臭剤の坪量が高い分布である。
【００６１】
また、上記各実施形態で示される吸収性物品の吸収層は移動可能な非保持消臭剤を含んでいる。そのため、その非保持消臭剤は、吸収性物品の動き（又は姿勢）に応じて、すなわち使用者の動きや姿勢に応じて動くことができる。例えば使用者が横向きに寝ると、吸収層の横部分が鉛直下方になるので、消臭剤が重力によりその横部分に移動することができる。それにより、使用者が横向きで排泄物を放出し、排泄物が重力によりその下側の横部分へ向かった時でも、その横部分に消臭剤が予め移動しているので、排泄物の臭気を確実に抑制することができる。更に、例えば使用者が起き上がると、吸収層の中央部分が鉛直下方になるので、消臭剤が重力によりその中央部分に移動することができる。それにより、使用者が横向きから起き上がって排泄物を放出し、排泄物が重力によりその下側の中央部分へ向かった時でも、その中央部分に消臭剤が予め移動しているので、排泄物の臭気を確実に抑制することができる。すなわち、吸収層において変形や体勢の影響に拘らず、排泄物の排出される領域に適正な量の消臭剤を確保することが可能となる。
【００６２】
本発明の吸収性物品は、上述した各実施形態に制限されることなく、本発明の目的、趣旨を逸脱しない範囲内において、適宜組合せや変更等が可能である。
【符号の説明】
【００６３】
１    吸収性物品
２    表面シート（液透過性層）
３    裏面シート（液不透過性層）
４    消臭剤含有吸収材層
ＴＳ    排泄口当接域
ＴＣ    消臭剤配置領域
ＴＨ    接着剤塗工領域
【図１】
0006333300.tif 000002
【図２】
0006333300.tif 000003
【図３】
0006333300.tif 000004
【図４】
0006333300.tif 000005
【図５】
0006333300.tif 000006
【図６】
0006333300.tif 000007
【図７】
0006333300.tif 000008
【図８】
0006333300.tif 000009
【図９】
0006333300.tif 000010
【図１０】
0006333300.tif 000011